(57)【要約】【課題】  複数の通信ベアラが同時に設定されている場合に着信ベアラを網側から適切に判定するベアラ終端装置を提供する。【解決手段】  本発明のベアラ終端装置１０は、携帯端末３０と通信可能に設定されている接続ベアラを記憶する接続ベアラ記憶部１３と、プッシュサーバ２４からの着信に応じて、接続ベアラ記憶部１３に記憶されている接続ベアラの中から、この接続ベアラのそれぞれの技術的特性に基づいて、携帯端末３０への着信に用いる着信ベアラを判定する着信ベアラ判定部１１と、を備えている。この構成により、プッシュサーバ２４から着信があった場合に、現在、携帯端末３０と通信可能に設定されているベアラの中から、各ベアラの技術的特性に基づいて着信ベアラを判定することができる。これにより、複数の通信ベアラが同時に設定されている場合に着信ベアラを網側から適切に判定することができる。【選択図】  図１
2008278202.tif 000002
【特許請求の範囲】
【請求項１】
複数のベアラを終端するベアラ終端装置であって、
移動通信端末と通信可能に設定されている接続ベアラを記憶する記憶手段と、
プッシュサーバからの着信に応じて、前記記憶手段に記憶されている前記接続ベアラの中から、該接続ベアラのそれぞれの技術的特性に基づいて、前記移動通信端末への着信に用いる着信ベアラを判定する判定手段と、
を備えるベアラ終端装置。
【請求項２】
前記技術的特性には、ベアラが常時接続か要求時接続かを示す接続形式が含まれ、
前記判定手段は、前記記憶手段に要求時接続ベアラが記憶されている場合、該要求時接続ベアラを前記着信ベアラとして判定し、それ以外の場合、前記記憶手段に記憶されている常時接続ベアラを前記着信ベアラとして判定する、請求項１に記載のベアラ終端装置。
【請求項３】
前記技術的特性にはベアラの帯域がさらに含まれ、
前記判定手段は、前記判定された着信ベアラと同じ接続形式のベアラが前記記憶手段に複数記憶されている場合には、前記帯域の広いベアラを前記着信ベアラとして判定する、請求項２に記載のベアラ終端装置。
【請求項４】
前記判定手段によって判定された前記着信ベアラを用いた前記移動通信端末への着信が失敗した場合、前記接続ベアラの中から他のベアラを新たな着信ベアラとして再判定する再判定手段をさらに備える、請求項１に記載のベアラ終端装置。
【発明の詳細な説明】
【技術分野】
【０００１】
本発明は、複数の無線ベアラを終端するベアラ終端装置に関するものである。
【背景技術】
【０００２】
一般に、複数種類の通信網（つまり複数ベアラ）による通信機能を有する通信端末装置が知られている。この装置は、例えば、ＩＭＴ−２０００規格に準拠した通信網、ＩＰ（Internet Protocol）電話網などによる通信を、一台で利用することができる。また、通信端末装置と同様に、ＩＭＴ−２０００網や無線ＬＡＮ（Wireless LAN：ＷＬＡＮ）網といった複数の無線ベアラ間でのハンドオーバを可能とするベアラ終端装置が提案されている（例えば、非特許文献１）。また、ベアラ終端装置において、設定するベアラを選択する手法については、たとえば特許文献１に記載されている。
【特許文献１】特表２００３−５０６９８１号公報
【非特許文献１】3GPP  TS23.401, TS23.402
【発明の開示】
【発明が解決しようとする課題】
【０００３】
しかし、上記従来技術では、以下に示すような問題点があった。すなわち、上記従来技術では、複数の通信ベアラが同時に設定されている場合に、網側であるベアラ終端装置において、データ通信の着信に用いる着信ベアラをどのように判定するかについては考慮されていない。
【０００４】
そこで本発明は、上記問題点を解決し、着信ベアラを網側から適切に判定することを可能とする異無線間のベアラ終端装置を提供することを目的とする。
【課題を解決するための手段】
【０００５】
上記課題を解決するために、本発明のベアラ終端装置は、移動通信端末と通信可能に設定されている接続ベアラを記憶する記憶手段と、プッシュサーバからの着信に応じて、前記記憶手段に記憶されている前記接続ベアラの中から、該接続ベアラのそれぞれの技術的特性に基づいて、前記移動通信端末への着信に用いる着信ベアラを判定する判定手段と、を備えている。
【０００６】
上記の構成により、プッシュサーバから着信があった場合に、現在移動通信端末と通信可能に設定されているベアラの中から、各ベアラの技術的特性に基づいて着信ベアラを判定することができる。これにより、複数の通信ベアラが同時に設定されている場合に着信ベアラを網側から適切に判定することができる。
【０００７】
本発明のベアラ終端装置においては、前記技術的特性には、ベアラが常時接続か要求時接続かを示す接続形式が含まれ、前記判定手段は、前記記憶手段に要求時接続ベアラが記憶されている場合、該要求時接続ベアラを前記着信ベアラとして判定し、それ以外の場合、前記記憶手段に記憶されている常時接続ベアラを前記着信ベアラとして判定することが好適である。
【０００８】
この構成により、ベアラが常時接続であるか要求時接続であるかによって着信ベアラを判定することができる。これにより、複数の通信ベアラが同時に設定されている場合に着信ベアラを網側から適切に判定することができる。
【０００９】
また、本発明のベアラ終端装置においては、前記技術的特性にはベアラの帯域がさらに含まれ、前記判定手段は、前記判定された着信ベアラと同じ接続形式のベアラが前記記憶手段に複数記憶されている場合には、前記帯域の広いベアラを前記着信ベアラとして判定することが好適である。
【００１０】
この構成により、帯域の広いベアラを優先的に着信ベアラとして判定することができる。これにより、複数の通信ベアラが同時に設定されている場合に着信ベアラを網側から適切に判定することができる。また、短時間での着信が可能となるので、ネットワークへの負荷を軽減することができる。
【００１１】
本発明のベアラ終端装置においては、前記判定手段によって判定された前記着信ベアラを用いた前記移動通信端末への着信が失敗した場合、前記接続ベアラの中から他のベアラを新たな着信ベアラとして再判定する再判定手段をさらに備えることが好適である。
【００１２】
この構成により、網側で適切と判断したベアラへの着信が失敗した時にも、異なるベアラで再度着信を行うことができる。これにより、着信の成功率を上げることができる。
【発明の効果】
【００１３】
本発明のベアラ終端装置は、移動通信端末と通信可能に設定されている接続ベアラを記憶する記憶手段と、プッシュサーバからの着信に応じて、前記記憶手段に記憶されている前記接続ベアラの中から、該接続ベアラのそれぞれの技術的特性に基づいて、前記移動通信端末への着信に用いる着信ベアラを判定する判定手段と、を備えるという構成により、プッシュサーバから着信があった場合に、現在移動通信端末と通信可能に設定されているベアラの中から、各ベアラの技術的特性に基づいて着信ベアラを判定することができる。これにより、複数の通信ベアラが同時に設定されている場合に着信ベアラを網側から適切に判定することができる。
【発明を実施するための最良の形態】
【００１４】
本発明の実施形態にかかるベアラ終端装置について、図面を用いて説明する。
【００１５】
まず、図１、図２を参照して、本実施形態にかかるベアラ終端装置１０の構成について説明する。図１は、ベアラ終端装置１０の機能ブロック図である。
【００１６】
ベアラ終端装置１０は、ＩＭＴ−２０００交換機２１、ＷＬＡＮ交換機２２、ＷｉＭＡＸ交換機２３及びプッシュ（Push）サーバ２４に接続されている。なお、ＩＭＴ−２０００交換機２１、ＷＬＡＮ交換機２２、およびＷｉＭＡＸ交換機２３のそれぞれは、携帯端末（移動通信端末）３０との間で無線通信を行うことのできる無線エリア（ＩＭＴ網２５、ＷＬＡＮ網２６、ＷｉＭＡＸ網２７）を形成するための図示しない基地局や基地局制御装置が接続されており、これらを介して携帯端末３０との間で無線による信号授受が行われる。
【００１７】
また、ベアラ終端装置１０は、図１に示されるように、着信ベアラ判定部（判定手段）１１、着信通知送受信部１２、接続ベアラ記憶部（記憶手段）１３、リルーチング判定部（再判定手段）１４、タイマ１５の機能を含むように構成されている。
【００１８】
着信ベアラ判定部１１は、プッシュサーバ２４からデータを受信すると、現在、携帯端末３０と通信可能に設定されているベアラ（以下「接続ベアラ」という）の中から携帯端末３０にデータを着信させるためのベアラを選択し、このベアラを着信ベアラとして判定する。着信ベアラの選択候補となる接続ベアラは、接続ベアラ記憶部１３に記憶されている。着信ベアラ判定部１１は、接続ベアラ記憶部１３に記憶されている接続ベアラのそれぞれの技術的特性、たとえば、当該ベアラが常時接続されているものか携帯端末からの要求時に接続されるものかを示すベアラの接続方式、またはベアラの帯域などに基づいて、着信ベアラを選択する。
【００１９】
着信通知送受信部１２は、プッシュサーバ２４からデータを着信したことを知らせる着信通知を、ベアラを介して携帯端末３０に送信し、その着信通知を受け取ったことを知らせる着信通知応答を携帯端末３０から受信する。
【００２０】
接続ベアラ記憶部１３は、現在、携帯端末３０と通信可能に設定されているベアラ（接続ベアラ）を記憶する。
【００２１】
リルーチング判定部１４は、着信ベアラ判定部１１によって判定された着信ベアラを用いた携帯端末３０への着信処理が正常に実施されなかった場合に、リルーチング処理を実施するよう判定し、接続ベアラ記憶部１３に記憶されている別のベアラを新たな着信ベアラとして再判定して、再度、携帯端末３０への着信処理を行う。リルーチングを実施するための判定基準は、たとえば、着信ベアラの交換機（ＩＭＴ−２０００交換機２１、ＷＬＡＮ交換機２２、またはＷｉＭＡＸ交換機２３）から、携帯端末３０への着信処理が正常に行われなかったことを示すエラー応答が返ってくること、または、着信通知を送った後、タイマ１５による所定時間経過後に応答がないこと、などである。
【００２２】
また、図２は、ベアラ終端装置１０のハードウェア構成図である。ベアラ終端装置１０は、物理的には、図２に示すように、ＣＰＵ１０１、主記憶装置であるＲＡＭ１０２及びＲＯＭ１０３、ハードディスク等の補助記憶装置１０５、入力デバイスであるキーボード及びマウス等の入力装置１０６、ディスプレイ等の出力装置１０７、ネットワークカード等のデータ送受信デバイスである通信モジュール１０４などを含むコンピュータシステムとして構成されている。図１において説明した各機能は、図２に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。
【００２３】
次に、図３〜図７を参照して、本実施形態のベアラ終端装置１０の動作について説明する。
【００２４】
図３および図４は、本実施形態の要部である着信ベアラを選択する処理より前段階の処理である、携帯端末３０と通信可能に設定されているベアラを接続ベアラ記憶部１３に記憶する処理を示すシーケンス図である。
【００２５】
図３は、ＷＬＡＮ交換機２２を介して接続ベアラ記憶部１３にベアラを記憶する動作を示すシーケンス図である。携帯端末３０がＷＬＡＮ網２６の通信可能エリアに在圏していることを検知すると（Ｓ１１）、まず、携帯端末３０からＷＬＡＮ交換機２２にベアラ設定要求が送信される（Ｓ１２）。ＷＬＡＮ交換機２２からベアラ終端装置１０へ接続通知が送信され（Ｓ１３）、接続通知に含まれる電話番号およびベアラがベアラ終端装置１０の接続ベアラ記憶部１３に記憶される（Ｓ１４）。その後、ベアラが接続されたことを知らせる接続通知応答がベアラ終端装置１０からＷＬＡＮ交換機２２に送られ（Ｓ１５）、ベアラが設定されたことを知らせるベアラ設定応答がＷＬＡＮ交換機２２から携帯端末３０に送られる（Ｓ１６）。
【００２６】
図４は、ＩＭＴ−２０００交換機２１を介して接続ベアラ記憶部１３にベアラを記憶する動作を示すシーケンス図である。携帯端末３０がＩＭＴ網２５を介してデータ通信を開始すると（Ｓ２１）、まず、携帯端末３０からＩＭＴ−２０００交換機２１へ発信要求が送信される（Ｓ２２）。ＩＭＴ−２０００交換機２１からベアラ終端装置１０へ接続通知が送信され（Ｓ２３）、接続通知に設定されている電話番号がベアラ終端装置１０の接続ベアラ記憶部１３に記憶される（Ｓ２４）。その後、ベアラが設定されたことを知らせる応答がベアラ終端装置１０からＩＭＴ−２０００交換機２１に送られ（Ｓ２５）、さらにＩＭＴ−２０００交換機２１から携帯端末３０に送られる（Ｓ２６）。
【００２７】
なお、ＷｉＭＡＸ網２７など他のベアラについても、同様の動作により接続ベアラ記憶部１３に記憶することができる。
【００２８】
図５は、本実施形態の要部である着信ベアラを判定する処理を示すシーケンス図である。まず、プッシュサーバ２４からベアラ終端装置１０へ着信通知が送信される（Ｓ３１）。着信通知を受信したベアラ終端装置１０は着信ベアラ判定を行う（Ｓ３２）。着信ベアラ判定において、ベアラ終端装置１０の着信ベアラ判定部１１は、接続ベアラ記憶部１３に記憶されているベアラの中から、当該ベアラが常時接続ベアラか要求時接続ベアラかを示す接続形式、またベアラの帯域などのようなベアラの技術的特性に基づいて、携帯端末３０へ着信するための着信ベアラを決定する。
【００２９】
図６は、着信ベアラ判定部１１により実行される着信ベアラ判定処理（Ｓ３２）の詳細を示すフローチャートである。
【００３０】
プッシュサーバ２４からデータの着信があると（Ｓ１０１）、接続ベアラ記憶部１３を参照して、携帯端末３０と通信可能に設定されている接続ベアラがあるか否かが判定される（Ｓ１０２）。接続ベアラがある場合、ステップＳ１０４に移行する。接続ベアラがない場合には、新たに要求時接続ベアラが携帯端末３０と通信可能に設定され、この要求時接続ベアラを用いて着信が行われる（Ｓ１０３）。
【００３１】
ステップＳ１０２で接続ベアラありと判定されると、さらに接続ベアラ記憶部１３を参照して、複数の接続ベアラが設定されているか否かが判定される（Ｓ１０４）。接続ベアラが1本のみである場合は、接続済みのベアラを用いて着信が行われる（Ｓ１０５）。複数の接続ベアラが設定されている場合は、ステップＳ１０６に移行する。
【００３２】
ステップＳ１０４で複数の接続ベアラが設定されていると判定されると、接続ベアラの中に要求時接続ベアラが設定されているか否かが判定される（Ｓ１０６）。
【００３３】
ステップＳ１０６で要求時接続ベアラが設定されていると判定された場合には、要求時接続ベアラが複数設定されているかが判定される（Ｓ１０７）。要求時ベアラが複数設定されている場合、帯域の広いベアラを用いて着信が行われる（Ｓ１０８）。要求時ベアラが複数設定されていない場合、接続済みの単一の要求時接続ベアラを用いて着信が行われる（Ｓ１０９）。
【００３４】
ステップＳ１０６で要求時接続ベアラが設定されていないと判定された場合には、常時接続ベアラを用いて着信が行われる。常時接続ベアラが複数設定されている場合（Ｓ１１０のＹＥＳ）、帯域の広いベアラを用いて着信が行われる（Ｓ１１１）。常時接続ベアラが複数設定されていない場合（Ｓ１１０のＮＯ）、接続済みの単一の常時接続ベアラを用いて着信が行われる（Ｓ１１２）。
【００３５】
再び図５に戻り説明を続けると、ベアラ判定（Ｓ３２）の結果、常時接続ベアラへ着信を行う場合には、これ以降は実線で示した処理が行われる。すなわち、常時接続ベアラであるＷＬＡＮ交換機２２を介して携帯端末３０へ着信通知が送信される（Ｓ３３−１）。そして、携帯端末３０からＷＬＡＮ交換機２２を介してベアラ終端装置１０へ着信通知応答が返送され（Ｓ３４−１）、ベアラ終端装置１０からプッシュサーバ２４へ着信通信応答が送られる（Ｓ３５−１）。
【００３６】
ベアラ判定（Ｓ３２）の結果、要求時接続ベアラへ着信を行う場合には、これ以降は点線で示した処理が行われる。すなわち、要求時接続ベアラであるＩＭＴ−２０００交換機２１を介して携帯端末３０へ着信通知が送信される（Ｓ３３−２）。そして、携帯端末３０からＩＭＴ−２０００交換機２１を介してベアラ終端装置１０へ着信通知応答が返送され（Ｓ３４−２）、ベアラ終端装置１０からプッシュサーバ２４へ着信通信応答が送られる（Ｓ３５−２）。
【００３７】
なお、図５には例示していないが、ベアラ判定の結果、常時接続ベアラであるＷｉＭＡＸ、または他種のベアラが選択された場合にも、選択されたベアラを介して同様の動作により携帯端末３０へ着信が行われる。
【００３８】
以上、ベアラ終端装置１０の着信ベアラ判定部１１による着信ベアラ判定処理について説明した。
【００３９】
本実施形態のベアラ終端装置１０は、上述の着信ベアラ判定処理によって選択されたベアラを用いた着信に失敗した場合に、さらに別のベアラへリルーチングを行う機能を備えることもできる。
【００４０】
図７は、ベアラ終端装置１０のリルーチング判定部１４によって実行されるリルーチング判定処理を示すフローチャートである。この処理は、図５に示した着信ベアラ判定処理を行い、選択された着信ベアラに着信通知が送られると実施される。
【００４１】
ベアラ終端装置１０が着信通知を携帯端末３０に向けて送信すると（Ｓ２０１）、タイマ１５が開始される。タイマ１５が満了するまで（Ｓ２０２）、携帯端末３０から着信通知に対する応答を待つ（Ｓ２０３）。時間内に応答のない場合（Ｓ２０３ＮＯかつＳ２０２ＹＥＳ），ステップＳ２０５に移行する。応答のある場合（Ｓ２０３ＹＥＳ）、応答が正常応答か否かが確認される（Ｓ２０４）。正常応答であった場合は着信成功と判断し（Ｓ２０８）、リルーチングは行わずに処理を終了する。正常応答以外（たとえばエラー応答）を受信した場合にはステップＳ２０５へ移行する。
【００４２】
すなわち、正常応答以外（エラー応答）を受信した場合または及びタイマ１５が満了した場合にステップＳ２０５に移行する。
【００４３】
続いて、着信ベアラ判定部１１において判定された着信ベアラが常時接続ベアラだったかどうかが判定される（Ｓ２０５）。着信ベアラが常時接続ベアラだった場合は、新たに要求時接続ベアラが携帯端末３０と通信可能に設定され、この要求時接続ベアラを用いて着信が行われる（Ｓ２０６）。着信ベアラが要求時接続ベアラだった場合は着信失敗と判断する（Ｓ２０７）。
【００４４】
続いて、本実施形態にかかるベアラ終端装置の変形例について説明する。
【００４５】
上記実施形態にかかるベアラ終端装置はＩＭＴ−２０００、ＷＬＡＮ、ＷｉＭＡＸの終端だったが、これは、Ｓｕｐｅｒ３Ｇや他の無線ベアラであってもよい。このような構成にすることで、各種無線方式において柔軟に着信可能となるという効果がある。
【００４６】
続いて、本実施形態のベアラ終端装置１０の作用および効果について説明する。
【００４７】
上述したように、本実施形態のベアラ終端装置１０では、着信ベアラ判定部１１は、接続ベアラ記憶部１３に記憶されているベアラが常時接続であるか要求時接続であるかによって着信ベアラを判定することができる。これにより、複数の通信ベアラが同時に設定されている場合に着信ベアラを網側から適切に判定することができる。
【００４８】
また、本実施形態のベアラ終端装置１０では、着信ベアラ判定部１１は、帯域の広いベアラを優先的に選択することができる。これにより、複数の通信ベアラが同時に設定されている場合に着信ベアラを網側から適切に判定することができる。また、短時間での着信が可能となるので、ネットワークへの負荷を軽減することができる。
【００４９】
さらに、本実施形態のベアラ終端装置１０では、着信ベアラ判定部１１で判定されたベアラへの着信が失敗した時には、リルーチング判定部１４が、異なるベアラを再判定して再度着信を行うことができる。これにより、着信の成功率を上げることができる。
【図面の簡単な説明】
【００５０】
【図１】本実施形態に係るベアラ終端装置の機能ブロック図である。
【図２】ベアラ終端装置のハードウェア構成図である。
【図３】ＷＬＡＮ交換機を介して接続ベアラ記憶部にベアラを記憶する動作を示すシーケンス図である。
【図４】ＩＭＴ−２０００交換機を介して接続ベアラ記憶部にベアラを記憶する動作を示すシーケンス図である。
【図５】着信ベアラを判定する処理を示すシーケンス図である。
【図６】着信ベアラ判定処理の詳細を示すフローチャートである。
【図７】リルーチング判定処理を示すフローチャートである。
【符号の説明】
【００５１】
１０…ベアラ終端装置、１１…着信ベアラ判定部、１２…着信通知送受信部、１３…接続ベアラ記憶部、１４…リルーチング判定部、１５…タイマ、２１…ＩＭＴ−２０００交換機、２２…ＷＬＡＮ交換機、２３…ＷｉＭＡＸ交換機、２４…プッシュサーバ、２５…ＩＭＴ網、２６…ＷＬＡＮ網、２７…ＷｉＭＡＸ網、３０…携帯端末。
【図１】
2008278202.tif 000003
【図２】
2008278202.tif 000004
【図３】
2008278202.tif 000005
【図４】
2008278202.tif 000006
【図５】
2008278202.tif 000007
【図６】
2008278202.tif 000008
【図７】
2008278202.tif 000009